(57)【要約】【課題】生ゴミの微生物分解により生じた液体を効率的に装置外へ排出することが可能な生ゴミ処理装置を提供する。【解決手段】生ゴミ処理装置１は、微生物による生ゴミの分解処理を行う空間１１が形成された処理槽１０と、上記分解処理により生じた液体を受けるドレンパン２０と、を備えている。ドレンパン２０は、上記液体をドレンパン２０から生ゴミ処理装置１の外へ排出する排出部３０と、排出部３０に向かって下向きに傾斜する底部２２と、を有している。【選択図】図２
0003202704.tif 000002
【実用新案登録請求の範囲】
【請求項１】
生ゴミ処理装置であって、
微生物による生ゴミの分解処理を行う空間が形成された処理槽と、
前記分解処理により生じた液体を受けるドレンパンと、を備え、
前記ドレンパンは、
前記液体を前記ドレンパンから前記生ゴミ処理装置の外へ排出する排出部と、
前記排出部に向かって下向きに傾斜する底部と、を有する、生ゴミ処理装置。
【請求項２】
前記ドレンパンは、互いに間隔を有するように対向し、前記底部に向かって前記間隔が狭くなるように傾斜する一対の側面を有する、請求項１に記載の生ゴミ処理装置。
【請求項３】
回転軸を有し、前記回転軸周りに回転することにより前記空間において生ゴミを攪拌する攪拌部をさらに備え、
前記底部は、前記回転軸方向に沿う方向において前記排出部に向かって傾斜している、請求項１または２に記載の生ゴミ処理装置。
【請求項４】
前記ドレンパンの内面側に配置され、前記内面側の領域に散水する散水手段をさらに備えた、請求項１〜３のいずれか１項に記載の生ゴミ処理装置。
【請求項５】
前記ドレンパンには、開閉可能な部分が設けられており、
前記散水手段は、前記開閉可能な部分に配置されている、請求項４に記載の生ゴミ処理装置。
【請求項６】
前記ドレンパンにおいて前記液体を受ける内面には、鏡面加工処理が施されている、請求項１〜５のいずれか１項に記載の生ゴミ処理装置。
【考案の詳細な説明】
【技術分野】
【０００１】
本考案は、生ゴミ処理装置に関する。
【背景技術】
【０００２】
近年、生ゴミの処理に関する技術や装置について活発な研究開発が行われている。このような生ゴミ処理装置の一つとして、微生物によって有機物である生ゴミを炭酸ガスと液体とに分解するバイオ処理式の装置が知られている。この種の生ゴミ処理装置の例として、下記特許文献１には、生ゴミが収容される処理槽を備え、当該処理槽内の酸素濃度や温度湿度などを調整して微生物の活発化に必要な環境を作ることにより、生ゴミの分解処理能力の向上を図った装置が記載されている。
【先行技術文献】
【特許文献】
【０００３】
【特許文献１】特開２００８−２５３９１８号公報
【考案の概要】
【考案が解決しようとする課題】
【０００４】
上記のように、生ゴミの微生物分解においては液体が生じるため、これを装置外へ排出するための構造が必要となる。ここで、従来の生ゴミ処理装置では、このような液体を効率的に装置外へ排出するための対策が十分に講じられていないという問題があった。
【０００５】
本考案は、上記課題に鑑みてなされたものであり、その目的は、生ゴミの微生物分解により生じた液体を効率的に装置外へ排出することが可能な生ゴミ処理装置を提供することである。
【課題を解決するための手段】
【０００６】
本考案の一局面に係る生ゴミ処理装置は、微生物による生ゴミの分解処理を行う空間が形成された処理槽と、前記分解処理により生じた液体を受けるドレンパンと、を備えている。前記ドレンパンは、前記液体を前記ドレンパンから前記生ゴミ処理装置の外へ排出する排出部と、前記排出部に向かって下向きに傾斜する底部と、を有している。
【０００７】
上記生ゴミ処理装置では、処理槽において生ゴミの微生物分解により生じた液体がドレンパンにより受けられる。そして、この液体は、底部において下向きに流れることによりドレンパンの排出部へ導かれ、その後装置の外へ排出される。したがって、上記生ゴミ処理装置によれば、ドレンパンにおいて当該底部が設けられていない装置に比べて、生ゴミの微生物分解により生じる液体を効率的に装置外へ排出することができる。
【０００８】
上記生ゴミ処理装置において、前記ドレンパンは、互いに間隔を有するように対向し、前記底部に向かって前記間隔が狭くなるように傾斜する一対の側面を有していてもよい。
【０００９】
上記構成によれば、生ゴミの微生物分解により生じる液体を当該一対の側面に沿って流すことにより底部へスムーズに導くことができる。
【００１０】
上記生ゴミ処理装置は、回転軸を有し、前記回転軸周りに回転することにより前記空間において生ゴミを攪拌する攪拌部をさらに備えていてもよい。前記底部は、前記回転軸方向に沿う方向において前記排出部に向かって傾斜していてもよい。
【００１１】
上記構成によれば、底部を攪拌部の回転軸方向に沿って傾斜させることにより、装置のスペース効率を向上させることができる。その結果、装置をよりコンパクト化することができる。
【００１２】
上記生ゴミ処理装置は、前記ドレンパンの内面側に配置され、前記内面側の領域に散水する散水手段をさらに備えていてもよい。
【００１３】
上記構成によれば、ドレンパン内に残留した固形物質などを除去する清掃作業を行う際に、ウォーターガンなどの洗浄手段をドレンパン内に引き込む必要がなく、ドレンパンの内面側に配置された散水手段によって容易に清掃作業を行うことができる。
【００１４】
上記生ゴミ処理装置において、前記ドレンパンには、開閉可能な部分が設けられていてもよい。前記散水手段は、前記開閉可能な部分に配置されていてもよい。
【００１５】
上記構成によれば、ドレンパンの開閉部分を開いて散水手段をドレンパン内から外へ取り出すことにより、メンテナンス作業などを容易に行うことができる。
【００１６】
上記生ゴミ処理装置において、前記ドレンパンにおいて前記液体を受ける内面には、鏡面加工処理が施されていてもよい。
【００１７】
上記構成によれば、ドレンパンの内面に固形物質などが付着しにくくなるため、より清浄な状態を維持することができる。その結果、清掃作業の頻度をより少なくすることができる。
【考案の効果】
【００１８】
本考案によれば、生ゴミの微生物分解により生じた液体を効率的に装置外へ排出することが可能な生ゴミ処理装置を提供することができる。
【図面の簡単な説明】
【００１９】
【図１】本考案の実施形態に係る生ゴミ処理装置の構成を概略的に示す斜視図である。
【図２】図１中の線分ＩＩ−ＩＩに沿う上記生ゴミ処理装置の断面構造を示す概略図である。
【図３】図１中の線分ＩＩＩ−ＩＩＩに沿う上記生ゴミ処理装置の断面構造を示す概略図である。
【図４】図２中の領域ＩＶにおいて処理槽の底面を平面視した概略図である。
【図５】上記生ゴミ処理装置の後側から見たときの構成を示す概略図である。
【図６】上記生ゴミ処理装置のドレンパン近傍における構成を示す概略図である。
【考案を実施するための形態】
【００２０】
以下、図面に基づいて、本考案の実施形態につき詳細に説明する。
【００２１】
＜生ゴミ処理装置の構成＞
まず、本考案の一実施形態に係る生ゴミ処理装置１の構成について、図１〜図３を主に参照して説明する。図１は、生ゴミ処理装置１の全体構造を示す斜視図である。図２は、図１中の線分ＩＩ−ＩＩに沿う生ゴミ処理装置１の断面構造を示している。図３は、図１中の線分ＩＩＩ−ＩＩＩに沿う生ゴミ処理装置１の断面構造を示している。
【００２２】
生ゴミ処理装置１は、例えばコンビニエンスストアなどに設置して使用される小型装置であって、微生物によって有機物である生ゴミを炭酸ガス（ＣＯ２）と液体とに分解する処理を行う装置である。生ゴミ処理装置１は、装置本体２と、処理槽１０と、ドレンパン２０と、攪拌部４０と、駆動部５０と、を主に備えている。
【００２３】
装置本体２は、図１に示すように略直方体形状の筐体によって構成されている。装置本体２内には、処理槽１０、ドレンパン２０、攪拌部４０及び駆動部５０が各々配置されている。装置本体２は上面２Ａを有し、当該上面２Ａには取手部１６Ａを有する本体蓋１６が蝶番によって開閉可能に取り付けられている。ユーザは、本体蓋１６を開いて処理槽１０内に生ゴミを投入することができる。
【００２４】
装置本体２は前面２Ｂを有し、当該前面２Ｂには取り外し可能な前面パネル３が配置されている。前面パネル３は、前側から見たときに処理槽１０及びドレンパン２０と重なる位置に配置されている。
【００２５】
装置本体２は、本体側面２Ｃ（右側側面）を有している。本体側面２Ｃには、生ゴミの微生物分解により生じた液体を装置外へ排出するための排出配管（図示しない）が取り付けられる。
【００２６】
処理槽１０は、微生物による生ゴミの分解処理を行う部分である。処理槽１０は、図２に示すように装置本体２の内部において上面２Ａ側に配置されている。処理槽１０には、生ゴミを収容するとともに、微生物による生ゴミの分解処理を行う空間１１が形成されている。
【００２７】
処理槽１０は、底面１０Ａを有している。底面１０Ａは、図３に示すようにドレンパン２０側に（下方に）凸の曲面からなっている。上記生ゴミ処理装置１の使用時において、処理槽１０（の底面１０Ａ側）には、生ゴミを分解処理する微生物を固定するための担体９０が多数投入される。担体９０は、ポリビニルアルコールなどの材質により構成される多孔質体であって、孔内において微生物を固定する。処理槽１０内に投入された生ゴミは、担体９０により固定される微生物によって分解処理される。
【００２８】
ここで、処理槽１０の底面１０Ａの詳細な構成について、図４を参照して説明する。図４は、図２中の領域ＩＶにおいて処理槽１０の底面１０Ａを平面視した図である。図４に示すように、処理槽１０の底面１０Ａには、複数の貫通穴６１（丸穴）が配列したパンチングメタル部６０が設けられている。パンチングメタル部６０は、図４の平面視において長方形状を有する。貫通穴６１は、処理槽１０に収容された生ゴミ及び担体９０がドレンパン２０側へ落下せず、かつ液体がドレンパン２０側へ流れ落ちる程度の直径を有している。具体的には、担体９０の直径が４ｍｍ程度である場合には、貫通穴６１の直径を０．５〜２ｍｍ程度に設計することができる。上記構成により、処理槽１０内において生ゴミ及び担体９０が保持されるとともに、生ゴミの分解処理により生じた液体がドレンパン２０側へ排出される。
【００２９】
攪拌部４０は、処理槽１０に収容された生ゴミを攪拌するための部分である。攪拌部４０は、図２に示すように処理槽１０内に配置されている。攪拌部４０は、回転軸Ｐ周りにおいて回転可能な軸部材４１と、一方の端部が軸部材４１に対して固定された棒状の複数のシャフト４２と、シャフト４２の他方の端部（先端部）に固定された平板形状の複数のパドル４３と、を有している。上記生ゴミ処理装置１では、攪拌部４０による生ゴミの攪拌時間などを予め設定情報として入力することができる。
【００３０】
軸部材４１は、回転軸Ｐ方向に沿って延在する円柱形状を有している。軸部材４１は、図２に示すように処理槽１０の一方の内壁面１０Ｂとこれに対向する他方の内壁面１０Ｃとの間で架け渡されている。軸部材４１の一方の端部は、処理槽１０の外へ突出しており、当該突出部分に駆動部５０が接続されている。駆動部５０は、例えばギヤモーターなどによって構成されており、軸部材４１に対して回転駆動力を与える。これにより、軸部材４１は、回転軸Ｐ周りにおいて回転可能に構成されている。なお、軸部材４１の両端部には、図示しない軸受が配置されている。
【００３１】
シャフト４２は、一方の端部が軸部材４１に固定されるとともに、回転軸Ｐに対して直角を成すように他方の端部（先端部）に向かって延びている。シャフト４２の数は特に限定されないが、本実施形態では３本のシャフト４２が設けられている。シャフト４２は、図２に示すように回転軸Ｐ方向において等間隔に配置され、また図３に示すように軸部材４１の周方向（回転方向）において等間隔に（１２０°の間隔で）配置されている。
【００３２】
パドル４３は、生ゴミを攪拌するためのパドル面４３Ａを有しており、シャフト４２の先端部に取り付けられている。パドル４３は、図２に示すようにシャフト４２との接続部分から離れるに従い幅が広がった後、当該幅が略一定となる平板形状を有している。この形状によって、パドル４３により生ゴミを攪拌し易くなっている。
【００３３】
攪拌部４０は、回転軸Ｐ周りに回転することにより処理槽１０の空間１１において生ゴミ及び担体９０を攪拌し、これにより担体９０に固定された微生物による生ゴミの分解が促進される。そして、生ゴミの分解により生じた液体は、処理槽１０の底面１０Ａに設けられた貫通穴６１（図４）を通って下方のドレンパン２０へ流れ落ちる。
【００３４】
ドレンパン２０は、処理槽１０の底面１０Ａから下方へ流れ落ちた液体を受ける受け皿として機能する部分である。ドレンパン２０は、図２及び図３に示すように装置本体２の内部において処理槽１０の下方に配置されている。ドレンパン２０は、排出部３０と、一対の側面２４Ａ，２４Ｂと、底部２２と、を有する。
【００３５】
排出部３０は、処理槽１０から受けた液体をドレンパン２０から上記生ゴミ処理装置１の外へ排出するための部分であり、ドレンパン２０の下部に設けられている（図２）。排出部３０には、装置本体２の本体側面２Ｃに取り付けられる排出配管が接続される。なお、排出部３０を設ける位置は、本実施形態のようにドレンパン２０の右下部分に限定されない。
【００３６】
一対の側面２４Ａ，２４Ｂは、互いに間隔Ｄを有するように対向している（図３）。一対の側面２４Ａ，２４Ｂは、底部２２に向かって間隔Ｄが徐々に狭くなるように傾斜している（図３）。換言すると、一対の側面２４Ａ，２４Ｂは、処理槽１０側に向かって間隔Ｄが徐々に広がるように傾斜している。上記構成により、処理槽１０からドレンパン２０側へ流れ落ちた液体の一部を、一対の側面２４Ａ，２４Ｂに沿って流すことにより底部２２側へスムーズに導くことができる。
【００３７】
底部２２は、排出部３０に向かって下向きに傾斜している（図２）。より具体的には、底部２２は、回転軸Ｐ方向に沿う方向（回転軸Ｐ方向に平行な方向）において排出部３０に向かって下向きに一定の角度で傾斜している。これにより、底部２２は、処理槽１０から受けた液体を排出部３０へ導く導水構造を構成している。このため、処理槽１０からドレンパン２０側へ流れ落ちた液体を、図２中矢印に示すように底部２２に沿って流すことで排出部３０側へスムーズに導くことができる。
【００３８】
底部２２は、上記一対の側面２４Ａ，２４Ｂを接続する底面２１を含む（図３）。底面２１は、上記一対の側面２４Ａ，２４Ｂに対して鈍角を成している。
【００３９】
上記一対の側面２４Ａ，２４Ｂは、本実施形態のように底面２１に対して一定の傾斜角を有していてもよいがこれに限られず、当該傾斜角が変化してもよい。また一対の側面２４Ａ，２４Ｂは、本実施形態のように前後対称に構成されていてもよいがこれに限られず、非対称に構成されていてもよい。また一対の側面２４Ａ，２４Ｂは、本実施形態のように両方が平面である場合に限定されず、両方が曲面であってもよいし、一方が平面でかつ他方が曲面であってもよい。
【００４０】
底部２２は、上述のように処理槽１０から流れ落ちた液体を排出部３０へ導くことができる程度に傾斜していればよく、その傾斜角は特に限定されない。また底部２２は、本実施形態のように一定の角度で排出部３０に向かって傾斜する場合に限定されず、傾斜角が変化してもよいし、傾斜しない部分を含んでいてもよい。また底面２１は平面に限定されず、曲面であってもよい。また底部２２は、底面２１を含む構成に限定されず、当該底面２１を省略したときに一対の側面２４Ａ，２４ＢからなるＶ字形状の頂点部分であってもよい。
【００４１】
ドレンパン２０において、処理槽１０から流れ落ちた液体を受ける内面である一対の側面２４Ａ，２４Ｂ及び底面２１には、鏡面加工処理が施されている。この鏡面加工処理は、ドレンパン２０の上記内面を固形物質の付着が抑制される程度の表面粗さに仕上げる処理であって、例えば砥石や遊離砥粒などを用いた任意の研磨方法によって行われる。この鏡面加工処理は、一対の側面２４Ａ，２４Ｂ及び底面２１の両方に施されていてもよいし、一方にのみ施されていてもよいし、どちらの面にも施されていなくてもよい。
【００４２】
ドレンパン２０の一対の側面２４Ａ，２４Ｂには、開閉可能な部分が設けられている。より具体的には、ドレンパン２０の前側の側面２４Ａには、図１に示すように長方形状の開口部２５が設けられており、当該開口部２５全体を覆うように取り外し可能な前側ドレンパン蓋２６が配置されている。またドレンパン２０の後側の側面２４Ｂには、図５に示すように長方形状の開口部２７が設けられており、当該開口部２７全体を覆うように取り外し可能な後側ドレンパン蓋２８が配置されている。
【００４３】
前側ドレンパン蓋２６は、図６に示すように、ネジなどの固定部材２６Ａによりドレンパン２０の前側の壁面に取り付けられている。また後側ドレンパン蓋２８は、同様に固定部材２８Ａにより後側の壁面に取り付けられている。
【００４４】
上記生ゴミ処理装置１は、図６に示すように、ドレンパン２０の内面側に配置され、当該内面側の領域に散水する散水手段８０をさらに備えている。散水手段８０は、前側ドレンパン蓋２６に配置される前側ノズル８１と、後側ドレンパン蓋２８に配置される後側ノズル８２と、を有している。前側及び後側ノズル８１，８２は、噴射孔を有し、当該噴射孔からドレンパン２０の内面側領域において散水する。
【００４５】
前側ノズル８１は、前側ドレンパン蓋２６を貫通する第１のホース８４の先端部に取り付けられている。また後側ノズル８２は、後側ドレンパン蓋２８を貫通する第２のホース８３の先端部に取り付けられている。前側及び後側ノズル８１，８２は、図６に示すように上側に向かって散水するように噴射口を上側に向けて配置されている。
【００４６】
上記生ゴミ処理装置１では、前側及び後側ノズル８１，８２からの水の噴射時間及び噴射動作間の間隔を予め設定情報として入力することができる。
【００４７】
散水手段８０は、本実施形態のように前側及び後側ノズル８１，８２の両方を含む場合に限られず、いずれか一方のみを含んでいてもよい。また前側及び後側ノズル８１，８２は、開閉可能な部分であるドレンパン蓋２６，２８に配置される場合に限られず、ドレンパン２０の内壁面に配置されてもよい。またドレンパン２０の開閉構造は、本実施形態のように開口部及びこれを覆うドレンパン蓋によって構成されるものに限られず、例えば回動式の扉による構成であってもよい。
【００４８】
上記生ゴミ処理装置１は、処理槽１０の内壁面に固定され、槽内に散水するための槽内ノズル（図示しない）をさらに備えている。この槽内ノズルから処理槽１０内へ散水することにより、微生物の繁殖に必要な水分を確保することができる。
【００４９】
また上記生ゴミ処理装置１は、処理槽１０の内壁面に配置された水位検知部としてのフロートスイッチ（図示しない）をさらに備えている。このフロートスイッチは、処理槽１０内の水位を検知するものであり、底面１０Ａから所定の高さにある部分に固定されている。例えば、貫通穴６１（図４）の目詰まりによって処理槽１０内の水位が規定値を超えたことがフロートスイッチにより検出されると、装置の制御部（図示しない）に対してその信号が入力され、当該制御部によって装置の運転が停止される。
【００５０】
＜生ゴミ処理装置による作用効果＞
次に、上記本実施形態に係る生ゴミ処理装置１による作用効果について説明する。
【００５１】
上記生ゴミ処理装置１は、微生物による生ゴミの分解処理を行う空間１１が形成された処理槽１０と、当該分解処理により生じた液体を受けるドレンパン２０と、を備えている。ドレンパン２０は、当該液体を生ゴミ処理装置１の外へ排出する排出部３０と、排出部３０に向かって下向きに傾斜する底部２２と、を有している。
【００５２】
上記生ゴミ処理装置１では、処理槽１０において生ゴミの微生物分解により生じた液体が、当該処理槽１０の下方に配置されたドレンパン２０により受けられる。そして、当該液体は、底部２２を流れることにより排出部３０側へ導かれ、その後上記生ゴミ処理装置１の外へ排出される。したがって、上記生ゴミ処理装置１によれば、上述のような傾斜構造を有する底部２２がドレンパン２０に設けられていない装置に比べて、生ゴミの微生物分解により生じる液体を効率的に装置外へ排出することができる。
【００５３】
上記生ゴミ処理装置１において、ドレンパン２０は、図３に示すように互いに間隔Ｄを有するように対向し、底部２２に向かって当該間隔Ｄが狭くなるように傾斜する一対の側面２４Ａ，２４Ｂを有している。これにより、図３中矢印に示すように生ゴミの微生物分解により生じる液体を一対の側面２４Ａ，２４Ｂに沿って流すことにより底部２２へスムーズに導くことができる。
【００５４】
上記生ゴミ処理装置１は、回転軸Ｐ周りに回転することにより生ゴミを攪拌する攪拌部４０を備えている。また底部２２は、図２に示すように回転軸Ｐ方向に沿う方向において排出部３０に向かって傾斜している。このように、底部２２を回転軸Ｐ方向に沿うように傾斜させることにより、装置のスペース効率を向上させることができる。その結果、上記生ゴミ処理装置１をよりコンパクトな設計にすることができる。
【００５５】
上記生ゴミ処理装置１は、ドレンパン２０の内面側に配置され、当該内面側の領域に散水する散水手段８０を備えている。これにより、ドレンパン２０内に残留した固形物質などを除去する清掃作業を実施する際に、ウォーターガンなどの洗浄手段をドレンパン２０内に引き込む必要がなく、ドレンパン２０の内面側に配置された散水手段８０によって容易に清掃作業を行うことができる。
【００５６】
上記生ゴミ処理装置１において、ドレンパン２０には、開口部２５，２７及びこれを覆うドレンパン蓋２６，２８によって構成される開閉部分が設けられている。散水手段８０（前側及び後側ノズル８１，８２）は、当該開閉部分を構成するドレンパン蓋２６，２８に配置されている。これにより、ドレンパン蓋２６，２８を開いて前側及び後側ノズル８１，８２をドレンパン２０内から外へ取り出すことで、噴射孔の清掃などのメンテナンス作業を容易に行うことができる。
【００５７】
上記生ゴミ処理装置１では、ドレンパン２０において液体を受ける内面（一対の側面２４Ａ，２４Ｂ及び底面２１）には、鏡面加工処理が施されている。これにより、ドレンパン２０の上記内面に固形物質などが付着しにくくなるため、より清浄な状態を維持することができる。その結果、清掃作業の頻度をより少なくすることができる。
【００５８】
本考案の生ゴミ処理装置は、コンビニエンスストアの設置を目的とした装置に限定されず、厨房や事業所等に設置される他の業務用装置や、キッチンに設置される家庭用装置にも同様に適用することができる。
【００５９】
今回開示された実施形態は、全ての点で例示であって、制限的なものではないと考えられるべきである。本考案の範囲は、上記した説明ではなくて実用新案登録請求の範囲によって示され、実用新案登録請求の範囲と均等の意味及び範囲内での全ての変更が含まれることが意図されている。
【符号の説明】
【００６０】
１  生ゴミ処理装置、１０  処理槽、１１  空間、２０  ドレンパン、２２  底部、２４Ａ，２４Ｂ  側面、３０  排出部、４０  攪拌部、Ｐ  回転軸
【図１】
0003202704.tif 000003
【図２】
0003202704.tif 000004
【図３】
0003202704.tif 000005
【図４】
0003202704.tif 000006
【図５】
0003202704.tif 000007
【図６】
0003202704.tif 000008